Podtech/llm-jp-corpus-v4-ja_patent huggingface dataset:
【手続補正書】
【提出日】平成26年11月27日(2014.11.27)
【手続補正１】
【補正対象書類名】明細書
【補正対象項目名】０００８
【補正方法】変更
【補正の内容】
【０００８】
定義
タイヤの「アスペクト比」は、パーセントとして表示するために、タイヤの断面幅（ＳＷ）に対するタイヤの断面高さ（ＳＨ）の比に１００を掛けたものを指す。
【手続補正２】
【補正対象書類名】明細書
【補正対象項目名】００２９
【補正方法】変更
【補正の内容】
【００２９】
【図１】電子タイヤタグ組立体の斜視図である。
【図２】ストリップに入れられたタグの斜視図である。
【図３】タグメモリの機能ブロック図である。
【図４Ａ】電子タグの、従来技術のタイヤにおける位置を示す斜視図である。
【図４Ｂ】図４Ａの電子タグの、従来技術のタイヤにおける位置を示す断面図である。
【図５Ａ】電子タグの、従来技術のタイヤにおける他の位置を示す斜視図である。
【図５Ｂ】図５Ａの、タイヤにおける他の位置を示す拡大断面図である。
【図６】本発明を含む、電子タグの他の位置を示す断面図である。
【図７Ａ】タグ位置をスキージとプライとの間としたときの、プライ端からの距離に対するＳＥＮＥＲ勾配を示すグラフである。
【図７Ｂ】タイヤの各断面での歪エネルギ密度の周期に対するＳＥＮＥＲ勾配を示すグラフである。
【図８】ＲＦＩＤタグの、プライ端に対する位置ＤＲ１、ＤＲ２を示す、他の構成のタイヤのタイヤビード領域を通る断面図である。
【図９Ａ】タグ位置を、補強部材を有しない第２のエイペックス上としたときの、プライ端からの距離に対するＳＥＮＥＲ勾配を示すグラフである。
【図９Ｂ】図９Ａのタグ位置の場合について、タイヤの各断面での歪エネルギ密度に対するＳＥＮＥＲ勾配を示すグラフである。
【図１０】プライ端からの特定の基準距離における、新しいタイヤと耐久試験後のタイヤにおけるタグの読み取り範囲のグラフである。
【手続補正３】
【補正対象書類名】明細書
【補正対象項目名】００４５
【補正方法】変更
【補正の内容】
【００４５】
図６の、代わりのタグ位置９０、９２、９４、９６、そして図８中の位置１２６、１２８では、タグ１０は、タグ１０の読み取り性能に影響を与えることがある、タイヤ内の種々の歪レベルを受ける。説明の都合上、タグ位置９０、９２、９４、９６（図６）とタグ位置１２６、１２８（図８）は、タイヤのサイドウォールのトー先端８８からの半径方向距離が基準によって区別されている。図７Ａと図７Ｂのグラフは、図６の位置９２（プライ／バリア）のプライ８６の端部と、図８のプライ１２４の端部と、からの異なる半径方向距離にあるタグにおける種々の歪レベルの効果を示している。図７Ａでは、プライ端８６（図６）からのタグ距離に対するＳＥＮＥＲ勾配（Ｇｒａｄｉｅｎｔ）がグラフ化されている。図７Ａのグラフは、図７Ａの囲み内に示されるフットプリントの入口、フットプリントの中央左、フットプリントの中央右、およびフットプリントの出口の各位置におけるＳＥＮＥＲ勾配を棒グラフで示している。このようにして、タグが取り付けられるタイヤの領域がタイヤのフットプリントに入り、タイヤのフットプリントを出るときの、タグの性能が与えられる。ＳＥＮＥＲ勾配は、タグのタイヤ取り付け位置のような、測定要素の変形による、タグから消失したエネルギの測定値である。図７Ａは、プライ層とスキージバリア層間の定められた位置のデータを表している。周期は最大値と最小値によって定まる。所与のタグ位置におけるＳＥＮＥＲ勾配が小さければ小さいほど、消失エネルギは少なくなり、タグによってもたらされる読み取り性能は良好になる。図７Ｂは、Ｊ／ｃｍ３で示されるＳＥＮＥＲレベルに対して、横軸に沿って中央から、タイヤ１周分の各断面の歪エネルギ密度周期を示している。タグのコード化された配置位置は、図７Ｂの右側の囲み内に縦に示され、図７Ａの横軸に沿って示された、タグの配置位置に対応している。
【手続補正４】
【補正対象書類名】図面
【補正対象項目名】図１
【補正方法】変更
【補正の内容】
【図１】
2012240680.tif 000001
【手続補正５】
【補正対象書類名】図面
【補正対象項目名】図２
【補正方法】変更
【補正の内容】
【図２】
2012240680.tif 000002
【手続補正６】
【補正対象書類名】図面
【補正対象項目名】図６
【補正方法】変更
【補正の内容】
【図６】
2012240680.tif 000003
【手続補正７】
【補正対象書類名】図面
【補正対象項目名】図７Ｂ
【補正方法】変更
【補正の内容】
【図７Ｂ】
2012240680.tif 000004
【手続補正８】
【補正対象書類名】図面
【補正対象項目名】図８
【補正方法】変更
【補正の内容】
【図８】
2012240680.tif 000005
【手続補正９】
【補正対象書類名】図面
【補正対象項目名】図９Ｂ
【補正方法】変更
【補正の内容】
【図９Ｂ】
2012240680.tif 000006
【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
記録を保存するための方法であって、
（ａ）媒体の１つ以上の表面にインクを接触させ、記号、トレース図、設計図、図表、図形、グリフ、点、式、画像、ピクセル、コード、図、模様、文字、数字、またはこれらの組み合わせで構成される記録を作成し、ここで、このインクが、貴金属、遷移金属、半金属、金属アロイおよびこれらの組み合わせからなる群から選択される金属コアを含む１つ以上の金属ナノ粒子と、媒剤と、任意要素の接着剤とを含むことと；
（ｂ）前記媒体の１つ以上の接触表面でこの金属ナノ粒子を焼結させることと；場合により、
（ｃ）前記媒体の１つ以上の接触表面で、焼結した金属を覆うようにコーティングを塗布することとを含み、
得られた焼結した金属が、物理的および化学的な損傷から前記記録の完全性を守る、方法。
【請求項２】
前記貴金属が、Ａｇ、Ａｕ、Ｐｄ、Ｐｔ、Ｒｈ、Ｉｒ、Ｒｕ、Ｏｓ、およびこれらの組み合わせからなる群から選択される、請求項１に記載の方法。
【請求項３】
前記遷移金属が、Ｔｉ、Ｃｒ、Ｍｎ、Ｆｅ、Ｃｏ、Ｎｉ、Ｃｕ、Ｚｎ、Ｎｂ、Ｍｏ、Ｔａ、Ｗ、Ｒｅ、およびこれらの組み合わせからなる群から選択される、請求項１に記載の方法。
【請求項４】
前記インクの金属含有量が、少なくとも５０重量％である、請求項１〜３のいずれか一項に記載の方法。
【請求項５】
前記媒剤が、第１の溶媒と任意要素の第２の溶媒とを含み、前記第１の溶媒が、別個の環系、組み合わさった環系、縮合環系、架橋した環系、およびこれらの組み合わせからなる群から選択される、請求項１〜４のいずれか一項に記載の方法。
【請求項６】
前記金属ナノ粒子が、その表面に安定化剤をさらに含み、前記安定化剤が式Ｘ−Ｙを有し、ここで、Ｘは、炭素原子を４個〜２４個含む炭化水素基であり、Ｙは、ヒドロキシル、アミン、カルボン酸、チオール、チオール誘導体、キサントゲン酸、ピリジン、ピロリドン、カルバメート、およびこれらの混合物からなる群から選択される、前記金属ナノ粒子の表面に接続した官能基である、請求項１〜５のいずれか一項に記載の方法。
【請求項７】
前記任意要素の接着剤が、テルペン樹脂、スチレン−ブタジエン−スチレンコポリマー、スチレン−イソプレン−スチレンコポリマー、スチレン−エチレン／ブチレン−スチレンコポリマー、スチレン−エチレン／プロピレンコポリマー、エチレン−酢酸ビニルコポリマー、エチレン−酢酸ビニル−無水マレイン酸ターポリマー、エチレンブチルアクリレートコポリマー、エチレン−アクリル酸コポリマー、ポリオレフィン、ポリビニルブチラール、ポリブテン、ポリアミド、およびこれらの組み合わせからなる群から選択される、請求項１〜６のいずれか一項に記載の方法。
【請求項８】
前記媒体が、金属、金属箔、モリブデン、アルミニウム、ベリリウム、カドミウム、セリウム、クロム、コバルト、銅、ガリウム、金、鉛、マンガン、モリブデン、ニッケル、パラジウム、白金、レニウム、ロジウム、銀、ステンレス鋼、鋼鉄、鉄、ストロンチウム、スズ、チタン、タングステン、イットリウム、亜鉛、ジルコニウム、金属アロイ、真鍮、青銅、金属ケイ化物、金属炭化物、ポリマー、プラスチック、導電性ポリマー、コポリマー、ポリマーブレンド、ポリエチレンテレフタレート、ポリカーボネート、ポリエステル、ポリエステル膜、マイラー、ポリ塩化ビニル、ポリフッ化ビニル、ポリフッ化ビニリデン、ポリエチレン、ポリエーテルイミド、ポリエーテルスルホン（ＰＥＳ）、ポリエーテルケトン、ポリイミド、アクリロニトリルブタジエンスチレンポリマー、ポリテトラフルオロエチレン、ポリジメチルシロキサン、シリコーン、エポキシ、紙、コーティングされた紙、ポゾラン、クレー、砂、砂利、パーライト、バーミキュライト、鉱滓綿、グラファイト、アルミノシリケート、マイカ、ケイ素、ガラス、サファイア、有機金属、セルロース、木材、繊維、樹皮、果実の殻、皮膚、セラミック、およびこれらの組み合わせからなる群から選択される、請求項１〜７のいずれか一項に記載の方法。
【請求項９】
前記コーティングが、ポリメタクリル酸メチル、ポリメタクリル酸エチル、ポリフェニレンオキシド、ポリフェニレンスルフィド、ポリプロピレン、ポリ塩化ビニル、エポキシ樹脂、ポリカーボネート（ＰＣ）、ポリイミド、ポリジシクロペンタジエン、シリコーン、ポリジメチルシロキサン、ポリウレタン、ポリイソブチレン、ポリクロロプレン、ポリブタジエン、ポリイソプレン；天然ポリマー、セルロース、ラテックス、デンプン、ポリエステル、ポリエチレンテレフタレート（ＰＥＴ）、カチオン系高分子電解質、ポリ−Ｌ−リジン、ポリアリルアミン、アニオン系高分子電解質、ポリ−Ｌ−グルタミン酸、ポリスチレンスルホネート、ポリケトン、ポリ（アリールエーテルケトン）、ポリアミド、ポリアラミド、ポリアクリロニトリル、ポリシアノアクリレート、ポリエーテルスルホン（ＰＥＳ）、ポリスチレン、ポリテトラフルオロエチレン、ポリエチレン、ポリビニルピロリドン、ポリ酢酸ビニル、架橋ポリマー、分岐ポリマー、星形のポリマー、コポリマー、デンドリマー、およびこれらの組み合わせからなる群から選択される、請求項１〜８のいずれか一項に記載の方法。
【請求項１０】
耐久性のある媒体の上で乾燥されるか、または焼結されるインクが大部分は金属である、耐久性のある媒体の上に印刷された記録。
【手続補正２】
【補正対象書類名】明細書
【補正対象項目名】発明の名称
【補正方法】変更
【補正の内容】
【発明の名称】記録保存方法および記録
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
基板と、
ざらつきのある表面を備え、前記基板を覆って配置された半導体層であって、前記ざらつきのある表面は、柱構造、溝構造、およびそれらの組み合わせのうちの１つ以上によって形成される、半導体層と、
前記半導体層の前記ざらつきのある表面に配置された適合性微粒子複合層であって、前記適合性微粒子複合層の表面は、複数の金属含有微粒子を備える、適合性微粒子複合層と、
マルチスケールの超撥油性表面を前記デバイスに提供するために、前記適合性微粒子複合層に配置された適合性撥油性コーティングと
を備える、超撥油性デバイス。
【請求項２】
前記複数の金属含有微粒子のそれぞれが、Ａｌ２Ｏ３、ＴｉＯ２、ＳｎＯ２、ＺｎＯ、ＳｉＯ２、ＳｉＣ、ＴｉＣ、Ｆｅ２Ｏ３、ＨｆＯ２、ＴｉＮ、ＴａＮ、ＷＮ、ＮｂＮ、Ｒｕ、Ｉｒ、Ｐｔ、ＺｎＳ、ＧｅＯ２、およびそれらの組み合わせからなる群から選択される、請求項１に記載のデバイス。
【請求項３】
前記柱構造と前記溝構造とのそれぞれが、約０．３マイクロメートルから約４マイクロメートルの範囲の高さを有する、請求項１に記載のデバイス。
【請求項４】
前記柱構造と前記溝構造とのそれぞれが、波状側壁、オーバーハング構造、またはそれらの組み合わせを備え、
前記柱構造と前記溝構造とのそれぞれが、約１マイクロメートルから約２０マイクロメートルの範囲の直径を有し、
前記波状側壁は、複数の波形を備え、各波形は、約１００ナノメートルから約１，０００ナノメートルのサイズを有し、
前記オーバーハング構造は、約１マイクロメートルから約２０マイクロメートルの範囲の上部幅を有する上部構造と、約０．５マイクロメートルから約１５マイクロメートルの範囲の底部幅を有する底部構造とを備えるＴ字型構造を備える、請求項１に記載のデバイス。
【手続補正２】
【補正対象書類名】明細書
【補正対象項目名】発明の名称
【補正方法】変更
【補正の内容】
【発明の名称】超撥油性デバイス
【手続補正書】
【提出日】平成27年10月9日(2015.10.9)
【手続補正１】
【補正対象書類名】特許請求の範囲
【補正対象項目名】全文
【補正方法】変更
【補正の内容】
【特許請求の範囲】
【請求項１】
加齢黄斑変性、またはその他の網膜疾患若しくは網膜異常を治療するための組成物であって、
前記組成物が、ＰＬＧＡ、ＰＣＬ、エラスチン、コラーゲン、またはこれらの組合せを含む少なくとも１種のポリマーによって作製されるエレクトロスピニングされたナノファイバーを含む三次元（３Ｄ）膜を含み、
前記膜が、超薄膜であり、網膜細胞由来の幹細胞を前記膜に投入するために十分な充填密度とファイバー径を有し、
前記膜が、さらに前記ナノファイバーと網膜細胞由来の幹細胞との間にタンパク質コートを含み、
前記膜の厚さが、２μｍ〜２０μｍであり、
前記充填密度が、１５％〜７０％であり、かつ
前記ファイバー径が、２５０ｎｍ〜６７０ｎｍである、
組成物。
【請求項２】
前記膜の充填密度およびファイバー径が、投入された前記網膜細胞由来の幹細胞を網膜色素上皮細胞の機能的な単層に増殖させることを可能とする、請求項１に記載の組成物。
【請求項３】
前記網膜色素上皮細胞が、加齢黄斑変性、またはその他の網膜疾患若しくは網膜異常を治療する、請求項２に記載の組成物。
【請求項４】
前記膜のトポグラフィーおよび機械特性が、天然のヒトブルッフ膜のトポグラフィーおよび機械特性に類似している、請求項１〜３のいずれか一項に記載の組成物。
【請求項５】
さらに光受容細胞を含む、請求項１〜４のいずれか一項に記載の組成物。
【請求項６】
前記光受容細胞および網膜色素上皮細胞が、前記膜に前記網膜色素上皮細胞が面した二重層を形成する、請求項５に記載の組成物。
【請求項７】
前記組成物が、柔軟であり、それ故に周囲組織によって移植部位の形に合うように作られている、請求項１〜６のいずれか一項に記載の組成物。
【請求項８】
前記ポリマーが天然または合成であり、かつ生分解性である、請求項１〜７のいずれか一項に記載の組成物。
【請求項９】
網膜色素上皮細胞由来の幹細胞の機能的な単層を支持するタンパク質コートナノファイバー膜を含む組成物の製造方法であって、
以下の工程：
（ａ）ナノファイバーエレクトロスピニング機の電場にコレクターを設置する工程；
（ｂ）天然のヒトブルッフ膜のトポグラフィーに類似した膜の充填密度およびナノファイバー径、並びに細胞成長を支持し、天然のヒトブルッフ膜の機械特性を模倣するための膜厚とするための十分な時間と条件で前記コレクターを接触させて、１種または複数のポリマーを電場を介して撒布する工程；
（ｃ）コレクターから膜を取り外す工程；
（ｄ）膜を洗浄および殺菌する工程；
（ｅ）膜にタンパク質コートをコーティングする工程；
（ｆ）網膜細胞由来の幹細胞を膜に投入する工程；および
（ｇ）機能的に成熟するまで細胞をインビトロで培養する工程
を含む組成物の製法方法。
【請求項１０】
光受容細胞が、網膜色素上皮細胞が投入された膜の上に投入されている、請求項９に記載の組成物の製法方法。
【請求項１１】
前記ファイバー径が、１０ｎｍ〜２０００ｎｍである、請求項９または１０に記載の組成物の製法方法。
【請求項１２】
前記ファイバー径が、７０ｎｍである、請求項１１に記載の組成物の製法方法。
【手続補正２】
【補正対象書類名】明細書
【補正対象項目名】０１５２
【補正方法】変更
【補正の内容】
【０１５２】
実施例７：コラーゲンおよびＰＬＧＡの組成物を含有する層の調製
溶媒として１，１，１，３，３，３−ヘキサフルオロ−２−プロパノール（ＨＦＩＰ）を用いて、６％ＰＬＧＡ溶液を調製した。同じ溶媒ＨＦＩＰを用いて６％コラーゲン溶液を調製した。両溶液を３０分間超音波処理した後で、一晩マグネチックスターラー上に放置した。コラーゲンとＰＬＧＡが完全に溶解したら、それらを様々な濃度（０％コラーゲン：１００％ＰＬＧＡ；２５％コラーゲン：７５％ＰＬＧＡ（１：３）；５０％コラーゲン：５０％ＰＬＧＡ（１：１）；７５％コラーゲン：２５％ＰＬＧＡ（３：１）；１００％コラーゲン：０％ＰＬＧＡ、および他の濃度）で混合した。ナノウェビング技術を用いて溶液をスピニングした。パイクスピン電極に５ｋＶを印加した。スピン電極から１５ｃｍ離れた場所にある集電極上に置かれたアルミホイル上でナノウェブを回収した。２５回繰り返した各回において、４０μＬの溶液をスピニングし、十分な厚さの層を得た。
【手続補正３】
【補正対象書類名】明細書
【補正対象項目名】０１９４
【補正方法】変更
【補正の内容】
【０１９４】
プルモルファミン粉末をジメチルスルホキシド（ＤＭＳＯ）に溶解させることにより１０ｍＭのプルモルファミン原液を調製した。ＰＬＧＡを、７０％クロロホルム：３０％ジメチルホルムアミドの溶媒混合液中でゆっくり攪拌することによって溶解させて、１０％ｗｔ／ｖ溶液を得た。適当なプルモルファミン原液と１０％ｗｔ／ｖのＰＬＧＡとを混合することによって様々な濃度で作成したプルモルファミン希釈標準溶液を用いて、ナノファイバー膜をエレクトロスピニングした。プレーンな１０％ｗｔ／ｖのＰＬＧＡと同量のＤＭＳＯとが入った希釈標準溶液中をコントロールとした。エレクトロスピニング手順を２７〜３５ｋＶの下で実施した。電極間距離は２１ｃｍとした。
【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
患者眼に眼内レンズを挿入する眼内レンズ挿入器具において、
軟性の前記眼内レンズを折り曲げる内壁と、該内壁に沿って折り曲げられた前記眼内レンズを眼内へ挿入する先端を持つ挿入部と、
該挿入部を先端側に持つ筒部本体と、
前記眼内レンズを前記先端に向けて押すための押出手段であって、前記眼内レンズ挿入器具の前記先端から基端に向けて伸びる軸に沿って進退移動される押出手段と、
前記軸外に置かれた前記眼内レンズの移動を規制する規制部材と、
該規制部材による前記眼内レンズの移動の規制を解除して、前記眼内レンズを軸上に押し込む解除部材と、を備え、
前記解除部材は、前記規制部材による規制を解除する際に、前記眼内レンズに当接する当接部であって、前記軸上に置かれた前記眼内レンズに当接される載置面を持つ当接部と、
を備えることを特徴とする眼内レンズ挿入器具。
【請求項２】
請求項１の眼内レンズ挿入器具において、
前記規制部材は、前記解除部材による押し込み方向への前記眼内レンズの移動を規制する変形可能な規制部を有し、
前記解除部材は、前記規制部による前記眼内レンズの規制を解除するために前記規制部の位置に合わせて形成された解除部を有し、
前記解除部から加えられる押圧で、前記規制部を前記押し込み方向に変形させることで、前記眼内レンズを、前記規制部に接触させること無く前記軸上へと移動させることを特徴とする眼内レンズ挿入器具。
【請求項３】
請求項２の眼内レンズ挿入器具において、
前記解除部は、前記眼内レンズを前記軸外から前記軸上へと移動させる際に、前記眼内レンズの通過位置をガイドするガイド機構を持つことを特徴とする眼内レンズ挿入器具。
【請求項４】
請求項２または３の眼内レンズ挿入器具において、
前記解除部は、前記軸上に置かれた前記眼内レンズの水平方向の位置ずれを抑える位置ずれ抑制機構を有することを特徴とする眼内レンズ挿入器具。
【請求項５】
請求項１〜４のいずれかの眼内レンズ挿入器具において、
前記解除部材は、前記眼内レンズの規制が解除された状態で、前記押出手段の前記軸方向の移動を案内する軸出部を備えることを特徴とする眼内レンズ挿入器具。
【手続補正２】
【補正対象書類名】明細書
【補正対象項目名】０００７
【補正方法】変更
【補正の内容】
【０００７】
上記課題を解決するために、本発明は以下のような構成を備えることを特徴とする。
（１）  患者眼に眼内レンズを挿入する眼内レンズ挿入器具において、軟性の前記眼内レンズを折り曲げる内壁と、該内壁に沿って折り曲げられた前記眼内レンズを眼内へ挿入する先端を持つ挿入部と、該挿入部を先端側に持つ筒部本体と、前記眼内レンズを前記先端に向けて押すための押出手段であって、前記眼内レンズ挿入器具の前記先端から基端に向けて伸びる軸に沿って進退移動される押出手段と、前記軸外に置かれた前記眼内レンズの移動を規制する規制部材と、該規制部材による前記眼内レンズの移動の規制を解除して、前記眼内レンズを軸上に押し込む解除部材と、を備え、前記解除部材は、前記規制部材による規制を解除する際に、前記眼内レンズに当接する当接部であって、前記軸上に置かれた前記眼内レンズに当接される載置面を持つ当接部と、を備えることを特徴とする。
【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
繊維表皮層の裏面側にバッキング層を形成した車両用内装材及び車両の座席表装材であって、
前記繊維表皮層が、導電性繊維を含むパイル糸打ち込み用基布と、前記基布に打ち込まれた導電性繊維を含むパイル糸とからなり、
前記パイル糸打ち込み用基布の裏面側には、有機減衰性フィラーを含むプレコートが施されていることを特徴とする車両用内装材及び車両の座席表装材。
【請求項２】
パイル糸打ち込み用基布及びパイル糸には導電性繊維として銀繊維が含まれていることを特徴とする請求項１に記載の車両用内装材及び車両の座席表装材。
【請求項３】
有機減衰性フィラーがｐ−（ｐ−トルエンスルホニルアミド）ジフェニルアミン、４，４’−ビス（α，α−ジメチルベンジル）ジフェニルアミン、オクチル化ジフェニルアミン、２，２’−メチレンビス（４−エチル−６−ｔｅｒｔ−ブチルフェノール）、および４，４’−チオビス（３−メチル−６−ｔｅｒｔ−ブチルフェノール）から選択される１種もしくは２種以上の化合物からなることを特徴とする請求項１または２に記載の車両用内装材及び車両の座席表装材。
【請求項４】
パイル糸打ち込み用基布は金属フタロシアニン化合物またはその誘導体を含む不織布からなり、前記パイル糸打ち込み用基布の裏面側には、ヨウ素複合体を含むプレコートが施されていることを特徴とする請求項１〜３のいずれか１に記載の車両用内装材及び車両の座席表装材。
【請求項５】
ヨウ素複合体がヨウ素を担体に坦持、吸蔵させて複合化したヨードホール、あるいは前記ヨードホールをゲスト分子として、これをホスト分子に包接させたものであることを特徴とする請求項４に記載の車両用内装材及び車両の座席表装材。
【手続補正書】
【提出日】平成26年11月18日(2014.11.18)
【手続補正１】
【補正対象書類名】明細書
【補正対象項目名】００１２
【補正方法】変更
【補正の内容】
【００１２】
【図１】本発明に係る使い捨て着用物品の一例としての使い捨ておむつの斜視図。
【図２】おむつの一部破断展開図。
【図３】クロッチ部材の一部を破断した図２と同様の図。
【図４】図２のＩＶ−ＩＶ線拡大断面図。
【図５】弾性シートを示す説明図であって、（ａ）は引張力が加えられていない状態を示す説明図であり、（ｂ）は横方向に互いに離間する引張力が加えられている状態を示す説明図。
【図６】おむつの後ウエスト部材の変形を示す説明図。
【図７】おむつの変形例を示す図３と同様の図。
【図８】（ａ）弾性シートの一例の平面図。（ｂ）図８ａのＶＩＩＩｂ−ＶＩＩＩｂ線断面図。
【図９】弾性シートの別の例の断面図。
【図１０】弾性シートを横方向Ｘへ伸張した場合において、横方向Ｘへの伸びと収縮力との関係を示した図。
【図１１】サンプル不織布を横方向Ｘへ伸張した場合において、横方向Ｘへの伸びと収縮力との関係を示した図。
【図１２】弾性シートおよびサンプル不織布のかたさを測定する装置の検出部を示す側面図。
【手続補正２】
【補正対象書類名】明細書
【補正対象項目名】０１３８
【補正方法】変更
【補正の内容】
【０１３８】
上記段落に開示したこの発明は、少なくとも下記の実施の形態を含むことができる。
（１）  ウエスト部材２０，３０は、少なくとも前記横方向Ｘにおいて実質的に非伸縮性の非弾性シート５２ｆ，５２ｂを含み、非弾性シート５２ｆ，５２ｂに第１ウエスト弾性体６１，７１が配置され、弾性シート５５ｆ，５５ｂのシート外端縁部５５９の少なくとも中央域５５ｃが非弾性シート５２ｆ，５２ｂに固定されている。
（２）  弾性シート５５ｆ，５５ｂとクロッチ部材４０とが重なり、クロッチ部材４０に取り付けた弾性シート５５ｆ，５５ｂの横方向Ｘの寸法が、第２ウエスト弾性体６２，７２が存在しない領域７９ｆ，７９ｂの横方向Ｘの寸法よりも大きい。
（３）  弾性シート５５ｆ，５５ｂの横方向Ｘにおける収縮力は、第１ウエスト弾性体の横方向Ｘにおける収縮力よりも小さい。
（４）  吸液性構造体４０Ａは、肌対向面側に位置する透液性の表面シート４１と、非肌対向面側に位置する裏面シート４２と、表面シート４１および裏面シート４２との間に介在して排泄物を吸収する芯材４３とを備えるとともに、縦方向Ｙの両端縁部に表面シート４１と裏面シート４２とによって形成される前後エンドフラップ４７ｆ，４７ｂを有し、弾性シート５５ｆ，５５ｂは、吸液性構造体４０Ａの縦方向Ｙにおける前後エンドフラップ４７ｆ，４７ｂの両端縁部を跨ぐように前ウエスト域１２および後ウエスト域１３にそれぞれ配置されている。
（５）  弾性シート５５ｆ，５５ｂは、縦方向Ｙにおける伸び率よりも横方向Ｘにおける伸び率が大きい。
（６）  弾性シート５５ｆ，５５ｂは、クロッチ部材４０の縦方向Ｙにおける前端縁４０ｆおよび後端縁４０ｂを覆い、力が加えられていない自然状態に対して横方向Ｘへ２倍に伸長した状態から、収縮した状態に戻る場合の収縮力が０．０５〜０．５０Ｎである。
【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
対象物をスキャンして得られた投影データに基づいて、前記対象物内の画像を表示するＸ線ＣＴ装置において、
エネルギーが異なるＸ線でそれぞれ対象物をスキャンして複数の投影データを生成する生成部と、
前記複数の投影データを、複数の基準物質に対応する複数の新たな投影データに変換する変換部と、
前記変換部で変換した複数の新たな投影データをそれぞれ再構成することで、複数の基準物質に対応する複数の基準物質画像を形成する画像形成部と、
前記複数の基準物質画像の画素の値の相関に基づいて対象物質を特定する特定部と、
を備えるＸ線ＣＴ装置。
【請求項２】
前記特定部は、前記複数の基準物質画像における対応する画素の値が、予め設定された相関を有するかを判定することにより、前記対象物質を特定するものであることを特徴とする請求項１記載のＸ線ＣＴ装置。
【請求項３】
前記変換部は、前記基準物質に対応するＸ線減弱係数を含む計算式を用いて、前記複数の投影データを、前記複数の基準物質に対応する複数の新たな投影データに変換するものであることを特徴とする請求項１または２に記載のＸ線ＣＴ装置。
【請求項４】
前記特定部により特定された前記対象物質の領域を識別可能にした前記対象物内の画像を生成する表示画像生成部を備えることを特徴とする請求項１乃至３のいずれか一項に記載のＸ線ＣＴ装置。
【請求項５】
前記特定部により特定された前記対象物質の領域の画素を、他の領域の画素に比べて、強調または抑制した表示画像を生成する表示画像生成部を備えることを特徴とする請求項１乃至３のいずれか一項に記載のＸ線ＣＴ装置。
【請求項６】
予め記憶された計算式に基づいて、前記複数の基準物質画像における対応する画素の値から、前記対象物質の濃度情報を求める濃度算出部を備えることを特徴とする請求項１乃至３のいずれか一項に記載のＸ線ＣＴ装置。
【請求項７】
前記濃度情報を表した表示画像を生成する表示画像生成部を備えることを特徴とする請求項６記載のＸ線ＣＴ装置。
【請求項８】
前記画像形成部は、前記複数の投影データを再構成して得られた複数のエネルギー画像を生成するものであり、
前記特定部は、前記複数のエネルギー画像の前記複数の基準物質画像の画素の値の相関に基づいて対象物質を特定するものである、
ことを特徴とする請求項１乃至７のいずれか一項に記載のＸ線ＣＴ装置。
【請求項９】
前記基準物質画像に基づいて、前記対象物における実効原子番号の分布を表す実効原子番号画像、前記対象物質における物質の密度の分布を表す密度画像、及び、単一のエネルギーを有するＸ線で前記対象物質をスキャンした場合を模擬的に再現する単色Ｘ線画像のうちの少なくとも１つを形成する形成部を更に備え、
前記特定部は、前記形成部により形成された画像に基づいて、前記対象物質の特定を行う、
ことを特徴とする請求項１に記載のＸ線ＣＴ装置。
【請求項１０】
対象物をスキャンして得られた投影データに基づいて、前記対象物内の画像を表示するＸ線ＣＴ装置において、
エネルギーが異なるＸ線でそれぞれ対象物をスキャンして複数の投影データを生成する生成部と、
前記複数の投影データを、複数の基準物質に対応する複数の新たな投影データに変換する変換部と、
前記変換部で変換した複数の新たな投影データをそれぞれ再構成することで、複数の基準物質に対応する複数の基準物質画像を形成する画像形成部と、
前記複数の基準物質画像の画素の値の相関に基づいて、前記複数の基準物質に係る座標系における座標を特定し、当該座標系における当該座標の分布情報を取得する特定部と、
を備えるＸ線ＣＴ装置。
【請求項１１】
前記特定部は、あらかじめ取得された、投影データに混入するノイズの標準偏差情報に基づいて、対象物質に対応するグラフを含む２次元領域を求めることを特徴とする請求項１乃至１０のいずれか一項に記載のＸ線ＣＴ装置。
【請求項１２】
前記特定部は、複数の物質が第１及び第２の物質を含む場合、前記複数の基準物質に係る座標系における前記第１の物質の座標と前記第２の物質の座標とを結ぶ線分を求め、対象物質の座標が前記線分上に位置する場合、当該位置に基づいて前記第１の物質と前記第２の物質との成分比を求めることを特徴とする請求項１乃至１１のいずれか一項に記載のＸ線ＣＴ装置。
【請求項１３】
前記特定部は、複数の物質のうちの１つが水である場合、前記複数の基準物質に係る座標系における第１の対象物質の座標と水の座標とを結ぶ線分と、第２の対象物質の座標と水の座標とを結ぶ線分とを求め、これら線分の位置関係に基づいて前記第１の対象物質と前記第２の対象物質とが同種であるか否か特定することを特徴とする請求項１乃至１２のいずれか一項に記載のＸ線ＣＴ装置。
【請求項１４】
エネルギーが異なるＸ線でそれぞれ対象物をスキャンして生成された複数の投影データを、複数の基準物質に基づき変換して得られた複数の新たな投影データを、それぞれ再構成することで形成された、複数の基準物質に対応する複数の基準物質画像を記憶する記憶部と、
前記記憶部に記憶された前記複数の基準物質画像の画素の値の相関に基づいて対象物質を特定する特定部と、
を備える画像処理装置。
【請求項１５】
エネルギーが異なるＸ線でそれぞれ対象物をスキャンして生成された複数の投影データを、複数の基準物質に基づき変換して得られた複数の新たな投影データを、それぞれ再構成することで形成された、複数の基準物質に対応する複数の基準物質画像を記憶する記憶部と、
前記記憶部に記憶された前記複数の基準物質画像の画素の値の相関に基づいて、前記複数の基準物質に係る座標系における座標を特定し、当該座標系における当該座標の分布情報を取得する特定部と、
を備える画像処理装置。
【請求項１６】
エネルギーが異なるＸ線でそれぞれ対象物をスキャンして生成された複数の投影データを、複数の基準物質に基づき変換して得られた複数の新たな投影データを、それぞれ再構成することで形成された、複数の基準物質に対応する複数の基準物質画像を記憶する記憶部を有するコンピュータを、
前記記憶部に記憶された前記複数の基準物質画像の画素の値の相関に基づいて対象物質を特定する特定部として機能させるプログラム。
【請求項１７】
エネルギーが異なるＸ線でそれぞれ対象物をスキャンして生成された複数の投影データを、複数の基準物質に基づき変換して得られた複数の新たな投影データを、それぞれ再構成することで形成された、複数の基準物質に対応する複数の基準物質画像を記憶する記憶部を有するコンピュータを、
前記記憶部に記憶された前記複数の基準物質画像の画素の値の相関に基づいて、前記複数の基準物質に係る座標系における座標を特定し、当該座標系における当該座標の分布情報を取得する特定部として機能させるプログラム。
【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
光源から出射された光を測定光と参照光に分割し、測定光を被検眼眼底に導き，参照光を参照光学系に導いた後、眼底で反射した測定光と参照光とが合成された光のスペクトルを受光素子に受光させる干渉光学系と、
前記測定光の光路中に配置され，眼底上で前記測定光を走査する光スキャナと、
前記受光素子から出力されるスペクトル信号をフーリエ解析して眼底断層像を得る眼底断層像撮影装置において、
前記光スキャナを制御して、撮影条件の異なる複数のスキャンを順次行うと共に、各スキャンによって取得される複数の眼底断層像が光路長一致位置の近傍で取得されるように各スキャンに応じて、測定光と参照光の光路差を調整する制御手段と、
を備える、ことを特徴とする眼底断層像撮影装置。
【請求項２】
前記制御手段は、前記光スキャナを制御してサークル径が互いに異なる複数のサークルスキャンを順次行うと共に、各サークルスキャンによって取得される複数の眼底断層像が光路長一致位置の近傍で取得されるように各サークルスキャンのサークル径に応じて測定光と参照光の光路差を調整する請求項１の眼底断層像撮影装置。
【請求項３】
各サークルスキャンによって取得された複数の眼底断層像に基づいて眼底の層厚分布を測定し、測定結果に基づく層厚マップを取得する解析手段を備える請求項２の眼底断層像撮影装置。
【手続補正２】
【補正対象書類名】明細書
【補正対象項目名】００１０
【補正方法】変更
【補正の内容】
【００１０】
（１）  光源から出射された光を測定光と参照光に分割し、測定光を被検眼眼底に導き，参照光を参照光学系に導いた後、眼底で反射した測定光と参照光とが合成された光のスペクトルを受光素子に受光させる干渉光学系と、前記測定光の光路中に配置され，眼底上で前記測定光を走査する光スキャナと、前記受光素子から出力されるスペクトル信号をフーリエ解析して眼底断層像を得る眼底断層像撮影装置において、前記光スキャナを制御して、撮影条件の異なる複数のスキャンを順次行うと共に、各スキャンによって取得される複数の眼底断層像が光路長一致位置の近傍で取得されるように各スキャンに応じて、測定光と参照光の光路差を調整する制御手段と、を備える、ことを特徴とする。
（２）  前記制御手段は、前記光スキャナを制御してサークル径が互いに異なる複数のサークルスキャンを順次行うと共に、各サークルスキャンによって取得される複数の眼底断層像が光路長一致位置の近傍で取得されるように各サークルスキャンのサークル径に応じて測定光と参照光の光路差を調整する（１）の眼底断層像撮影装置。
（３）  各サークルスキャンによって取得された複数の眼底断層像に基づいて眼底の層厚分布を測定し、測定結果に基づく層厚マップを取得する解析手段を備える（２）の眼底断層像撮影装置。
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
互いに重なり合う第一の不織布シート部分及び第二の不織布シート部分と、前記第一の不織布シート部分と前記第二の不織布シート部分との間に配置された弾性部材とから構成される複合伸縮性材料であって、
前記不織布シート部分の各々には、その不織布シート部分の厚さ方向に凹部及び凸部が形成され、
第一の方向に交互に繰り返し形成された前記凹部及び前記凸部が、前記第一の方向に直交する第二の方向に沿って各々延びて、凹凸列を画定し、
前記凹凸列が、前記第一の方向に沿って前記凹部及び前記凸部を含むことなく延びる非凹凸領域によって互いに隔てられており、
前記凸部が、対応する前記不織布シート部分の前記非凹凸領域の厚さ方向位置から突出しており、
互いに隣接する２つの前記凸部同士の間に形成される前記凹部が、前記非凹凸領域の厚さ方向位置まで到っており、
前記第一の不織布シート部分と前記第二の不織布シート部分との前記非凹凸領域が互いに対向しつつ、前記第一の不織布シート部分の前記凸部が前記第二の不織布シート部分を向くと共に前記第二の不織布シート部分の前記凸部が前記第一の不織布シート部分を向くように重ね合わせられると共に、前記第一の方向に伸張した状態の前記弾性部材が、互いに整列する前記非凹凸領域同士の間に配置され、
互いに整列された前記非凹凸領域同士が弾性部材を介して接合され、
前記第一の不織布シート部分の前記凸部が前記第二の不織布シート部分の前記凹部内部に入り込むと共に、前記第二の不織布シート部分の前記凸部が前記第一の不織布シート部分の前記凹部内部に入り込んでいる、
複合伸縮性材料。
【請求項２】
全ての前記非凹凸領域に前記弾性部材が配置されている、
請求項１に記載の複合伸縮性材料。
【請求項３】
互いに重なり合う前記第一の不織布シート部分及び前記第二の不織布シート部分が、前記非凹凸領域でのみ接合されており、前記凹凸列では接合されていない、
請求項１又は２に記載の複合伸縮性材料。
【請求項４】
互いに重なり合う前記第一の不織布シート部分及び前記第二の不織布シート部分が、単一の不織布シート内に形成されており、
前記単一の不織布シートが、前記第一の方向に平行な折り曲げ線に沿って折り曲げられ、互いに重ね合わされている、
請求項１〜３のいずれか１項に記載の複合伸縮性材料。
【請求項５】
互いに重なり合う第一の不織布シート部分及び第二の不織布シート部分と、前記第一の不織布シート部分と前記第二の不織布シート部分との間に配置された弾性部材とから構成される複合伸縮性材料を製造する方法であって、
前記不織布シート部分の各々に、その不織布シート部分の厚さ方向に凹部及び凸部を形成する賦形段階であって、
第一の方向に交互に繰り返し形成された前記凹部及び前記凸部が、前記第一の方向に直交する第二の方向に沿って各々延びて、凹凸列を画定し、
前記凹凸列が、前記第一の方向に沿って前記凹部及び前記凸部を含むことなく延びる非凹凸領域によって互いに隔てられており、
前記凸部が、対応する前記不織布シート部分の前記非凹凸領域の厚さ方向位置から突出しており、かつ、
互いに隣接する２つの前記凸部同士の間に形成される前記凹部が、前記非凹凸領域の厚さ方向位置まで到っている、
賦形段階と、
前記第一の方向に伸張した状態の前記弾性部材を前記第一の不織布シート部分又は前記第二の不織布シート部分のうちの一方の少なくとも１つの前記非凹凸領域の上に配置する弾性部材配置段階と、
前記第一の不織布シート部分と前記第二の不織布シート部分との前記非凹凸領域が互いに対向しつつ、前記第一の不織布シート部分の前記凸部が前記第二の不織布シート部分を向くと共に前記第二の不織布シート部分の前記凸部が前記第一の不織布シート部分を向くように、前記第一の不織布シート部分と前記第二の不織布シート部分とを重ね合わせて、前記第一の不織布シート部分の凸部が前記第二の不織布シート部分の凹部内部に入り込むと共に、前記第二の不織布シート部分の前記凸部が前記第一の不織布シート部分の前記凹部内部に入り込むようにする重ね合わせ段階と、
互いに整列された前記非凹凸領域同士を、前記弾性部材を介して互いに接合する接合段階と、
を含む、
前記複合伸縮性材料を製造する方法。
【請求項６】
互いに重なり合う第一の不織布シート部分及び第二の不織布シート部分と、前記第一の不織布シート部分と前記第二の不織布シート部分との間に配置された弾性部材とから構成される複合伸縮性材料を製造する方法であって、
互いに噛み合いながら互いに逆方向に回転する、連続ギヤロールと欠歯ギヤロールとの間を通過させることによって、前記不織布シート部分の各々に、その不織布シート部分の厚さ方向を向く凹部及び凸部を形成する賦形段階であって、
前記連続ギヤロールは周方向に離間された複数の連続歯を有し、各前記連続歯は幅方向に連続しており、
前記欠歯ギヤロールは周方向に離間された複数の不連続歯を有し、各前記不連続歯は少なくとも１つの欠歯部分によって幅方向に中断されており、これらの欠歯部分は周方向に整列されており、
第一の方向に交互に繰り返し形成された前記凹部及び前記凸部が、凹凸列を画定し、かつ、
前記凹凸列が、前記第一の方向に沿って前記凹部及び前記凸部を含むことなく延びる非凹凸領域によって互いに隔てられている、
賦形段階と、
前記第一の方向に伸張した状態の前記弾性部材を前記第一の不織布シート部分又は前記第二の不織布シート部分のうちの一方の少なくとも１つの前記非凹凸領域の上に配置する弾性部材配置段階と、
前記第一の不織布シート部分と前記第二の不織布シート部分との前記非凹凸領域が互いに対向するように、かつ前記賦形段階において前記連続ギヤロール側に位置する方の面同士が対面するように、前記第一の不織布シート部分と前記第二の不織布シート部分とを重ね合わせて、前記第一の不織布シート部分の凸部が、前記第二の不織布シート部分の凹部内部に入り込むと共に、前記第二の不織布シート部分の前記凸部が前記第一の不織布シート部分の前記凹部内部に入り込むようにする重ね合わせ段階と、
互いに整列された前記非凹凸領域同士を、前記弾性部材を介して互いに接合する接合段階と、
を含む、
前記複合伸縮性材料を製造する方法。
【手続補正書】
【提出日】平成27年6月5日(2015.6.5)
【手続補正１】
【補正対象書類名】特許請求の範囲
【補正対象項目名】全文
【補正方法】変更
【補正の内容】
【特許請求の範囲】
【請求項１】
連結性行列によって表されるプロトグラフに対応する準巡回（ＱＣ）低密度パリティ検査（ＬＤＰＣ）符号を求める方法であって、
少なくとも１つの複製線に沿って前記連結性行列の少なくとも幾つかの要素を複製するステップであって、拡張された連結性行列を生成し、該連結性行列内の前記少なくとも幾つかの要素の値は、所定のガースによって示されるパターンを形成する、複製するステップと、
前記拡張された連結性行列に対応する階層準巡回（ＨＱＣ）ＬＤＰＣ符号を求めるステップであって、該ＨＱＣ  ＬＤＰＣ符号は、巡回部分行列の行列によって表される、求めるステップと、
前記ＨＱＣ  ＬＤＰＣ符号を表す前記行列の前記少なくとも幾つかの要素を除去するステップであって、該行列が前記複製線に沿ってスカッシングされ、前記ＱＣ  ＬＤＰＣ符号が生成されるようにする、除去するステップと
を有し、該方法の各ステップは、プロセッサによって実行される、連結性行列によって表されるプロトグラフに対応する準巡回（ＱＣ）低密度パリティ検査（ＬＤＰＣ）符号を求める方法。
【請求項２】
前記所定のガースは、１０以上である請求項１に記載の方法。
【請求項３】
前記プロトグラフは、空間結合符号を表す請求項１に記載の方法。
【請求項４】
前記パターンは、２よりも大きい値を有する少なくとも２つの要素または３よりも大きい値を有する少なくとも１つの要素を有する連結性行列の行または列を含む請求項１に記載の方法。
【請求項５】
前記ＨＱＣ  ＬＤＰＣ符号は、制限された２レベルＨＱＣ  ＬＤＰＣ符号である請求項１に記載の方法。
【請求項６】
前記求めるステップは、
前記拡張された連結性行列を階層準巡回（ＨＱＣ）ＬＤＰＣ符号ファミリーに変換するステップと、
前記ＨＱＣ  ＬＤＰＣ符号ファミリーから、前記ＨＱＣ  ＬＤＰＣ符号の前記ガースが最適化されるような少なくとも１つのＨＱＣ  ＬＤＰＣ符号を選択するステップと
をさらに含む請求項１に記載の方法。
【請求項７】
前記選択するステップは、山登り法による手順を用いる請求項６に記載の方法。
【請求項８】
前記山登り法による手順は、
前記ファミリー内の前記ＨＱＣ  ＬＤＰＣ符号ごとにツリー構造を選択するステップと、
前記ツリー構造ごとにコストを求めるステップと、
前記ツリー構造内の単一のエッジラベルを繰返し変更するステップであって、前記コストの低減を最大にする、繰返し変更するステップと、
前記コストが最小のときに、前記ツリー構造から前記ＨＱＣ  ＬＤＰＣ符号の多項式パリティ検査行列を構築するステップと
をさらに含む請求項７に記載の方法。
【請求項９】
前記変換するステップは、前記連結性行列の、制限された２レベルＨＱＣ  ＬＤＰＣ符号ファミリーへの直接変換である請求項６に記載の方法。
【請求項１０】
前記ＨＱＣ  ＬＤＰＣ符号は、多項式パリティ検査行列によって表され、該ＨＱＣ  ＬＤＰＣ符号の前記行列は、前記符号を表す基本行列であり、前記方法は、
前記多項式パリティ検査行列を基本行列符号にコンバートするステップであって、前記行列を生成する、コンバートするステップ
をさらに含む請求項１に記載の方法。
【請求項１１】
前記基本行列符号は、４×４の部分行列を用いて構築される請求項１０に記載の方法。
【請求項１２】
前記変換するステップは、
前記拡張された連結性行列を、対応するＨＱＣ  ＬＤＰＣ符号ファミリーを記述する多項式パリティ検査行列ファミリーに変換するステップであって、多項式パリティ検査行列の要素は、第１の変数ｘおよび第２の変数ｙの多項式を含み、前記複製線の両側の前記第２の変数ｙの指数は等しい、変換するステップ
を含む請求項６に記載の方法。
【請求項１３】
前記選択するステップは、
前記多項式パリティ検査行列ファミリーにおける自由度を最適化するステップであって、前記ＨＱＣ  ＬＤＰＣ符号を得る、最適化するステップと、
前記ＨＱＣ  ＬＤＰＣの前記多項式パリティ検査行列を基本行列符号にコンバートするステップであって、前記ＨＱＣ  ＬＤＰＣ符号の前記行列を生成する、コンバートするステップと
を含む請求項１２に記載の方法。
【請求項１４】
前記複製線は、前記連結性行列の行間または列間に延び、前記拡張された連結性行列の前記要素は、前記行列のＮ個の要素に対応し、前記除去するステップは、
前記複製線の両側の前記行列から２つの要素を除く全てを除去するステップ
をさらに含む請求項１に記載の方法。
【請求項１５】
Ｎは４に等しく、前記除去するステップが、前記複製線の両側の前記行列から２つの要素を除去するステップを含むようになっている請求項１に記載の方法。
【請求項１６】
前記スカッシング手順は、前記拡張された連結性行列内の各複製された列に対応する４つの列の各組から、基本行列内の２つの列を除去し、前記拡張された連結性行列内の各複製された行に対応する４つの行の各組から、前記基本行列内の２つの行をさらに除去する請求項１３に記載の方法。
【請求項１７】
前記ＨＱＣ  ＬＤＰＣ符号は、Ｋ個のレベルを含み、Ｋ個の変数の多変量多項式パリティ検査行列によって定義される請求項１に記載の方法。
【請求項１８】
前記行列の各部分行列は、巡回構造を有し、該部分行列の前記要素の値は、遷移線を越えると前記巡回フローを変化させる請求項１に記載の方法。
【請求項１９】
前記ＨＱＣ  ＬＤＰＣ符号を用いてデータを符号化するステップであって、符号化データを生成する、符号化するステップと、
前記符号化データをチャネルを介して送信するステップと
をさらに含む請求項１に記載の方法。
【手続補正書】
【提出日】平成27年9月18日(2015.9.18)
【手続補正１】
【補正対象書類名】明細書
【補正対象項目名】００８３
【補正方法】変更
【補正の内容】
【００８３】
本発明は、ビデオ表現フォーマット、ビデオ配送チェーンおよび受信機（セットトップボックス、デコーダ、PVR）またはディスプレイ装置のいずれにも関わりうる。
いくつかの付記を記載しておく。
〔付記１〕
高ダイナミックレンジのHDR画像をエンコードする方法であって：
・LDR画像および追加データをダウンサンプリングする段階であって、前記LDR画像は前記HDR画像コンテンツのより低いダイナミックレンジの表現を提供し、前記追加データは、前記LDR画像から前記HDR画像を再構成することを許容する、段階と；
・フレーム中に、ダウンサンプリングされたLDR画像およびダウンサンプリングされた追加データを配置する段階と；
・前記フレームをエンコードする段階とを含む、
方法。
〔付記２〕
高ダイナミックレンジのHDR画像を再構成する方法であって：
・フレームをデコードする段階と；
・前記フレームをダウンサンプリングされたLDR画像およびダウンサンプリングされた追加データに分割する段階であって、前記LDR画像は前記HDR画像コンテンツのダウンサンプリングされた、より低いダイナミックレンジの表現を提供し、前記追加データは前記LDR画像から前記HDR画像を再構成することを許容する、段階と；
・ダウンサンプリングされたLDR画像およびダウンサンプリングされた追加データをアップサンプリングする段階と；
・アップサンプリングされた追加データを使ってアップサンプリングされたLDR画像からHDR画像を再構成する段階とを含む、
方法。
〔付記３〕
付記１または２記載の方法であって、前記LDR画像は露出過少であり、前記追加データは、前記HDR画像コンテンツの低ダイナミックレンジの表現のさらなるLDR画像を含み、前記さらなるLDR画像は露出過剰である、方法。
〔付記４〕
付記１または２記載の方法であって、前記LDR画像は露出正常であり、前記ダウンサンプリングされた追加データは、前記HDR画像コンテンツの低ダイナミックレンジの表現の二つのさらなるダウンサンプリングされたLDR画像を含み、前記二つのさらなるダウンサンプリングされたLDR画像の一つは露出過剰であり、二つのさらなるダウンサンプリングされたLDR画像の一つは露出過少であり、両方のさらなるダウンサンプリングされたLDR画像は横方向および縦方向にダウンサンプリングされており、前記追加データにおいて、前記二つのさらなるダウンサンプリングされたLDR画像は、前記ダウンサンプリングされた追加データと前記LDR画像が上下に配置される場合には隣り合わせに配置され、前記二つのさらなるダウンサンプリングされたLDR画像は、前記ダウンサンプリングされた追加データと前記LDR画像が隣り合わせに配置される場合には上下に配置される、方法。
〔付記５〕
付記２ないし４のうちいずれか一項記載の方法であって、前記露出過少のLDR画像および前記露出過剰のLDR画像は、ヒストグラム整列を使って調整されており、前記ヒストグラム整列の少なくとも一つのパラメータが前記フレームのメタデータにおいてエンコードされている、方法。
〔付記６〕
付記１または２記載の方法であって、前記LDR画像は前記HDR画像のトーン・マッピングされたバージョンであり、前記追加データは逆トーン・マッピングを許容する露出マップである、方法。
〔付記７〕
付記６記載の方法であって、前記露出マップは、前記HDR画像と前記HDR画像のトーン・マッピングされたバージョンのルミナンス値の比の規格化されたマップであり、最小ルミナンス比の値および最大ルミナンス比の値の少なくとも一方が前記フレームのメタデータにおいてエンコードされる、方法。
〔付記８〕
付記１ないし７のうちいずれか一項記載の方法であって、前記フレームのメタデータにおいてダウンサンプリング情報がエンコードされ、前記ダウンサンプリング情報は：前記ダウンサンプリングされたLDR画像において奇数ラインが除去されているかどうかおよび前記ダウンサンプリングされた追加データにおいて奇数ラインが除去されているかどうかのうちの少なくとも一方を示す、方法。
〔付記９〕
付記１ないし８のうちいずれか一項記載の方法であって、前記フレームのメタデータにおいて配置情報がエンコードされ、前記配置情報は前記ダウンサンプリングされたLDR画像および前記ダウンサンプリングされた追加データが前記フレームにおいてどのように配置されているかを示し、
・ダウンサンプリングは横方向であり、配置は隣り合わせである、または
・ダウンサンプリングは縦方向であり、配置は上下である、
方法。
〔付記１０〕
低ダイナミックレンジのダウンサンプリングされたLDR画像およびダウンサンプリングされた追加情報を含むエンコードされたフレームを担持する非一時的記憶媒体であって、前記追加データが、前記LDR画像コンテンツのより高ダイナミックレンジの表現を与えるHDR画像を再構成することを許容する、記憶媒体。
〔付記１１〕
高ダイナミックレンジのHDR画像をエンコードする装置であって：
・LDR画像および追加データをダウンサンプリングする手段であって、前記LDR画像は前記HDR画像コンテンツのより低いダイナミックレンジの表現を提供し、前記追加データは、前記LDR画像から前記HDR画像を再構成することを許容する、手段と；
・フレーム中に、ダウンサンプリングされたLDR画像およびダウンサンプリングされた追加データを配置する手段と；
・前記フレームをエンコードする手段とを有する、
装置。
〔付記１２〕
ヒストグラム整列手段をさらに有する、付記１１記載の装置。
〔付記１３〕
露出マップを決定する手段をさらに有する、付記１１記載の装置。
〔付記１４〕
高ダイナミックレンジのHDR画像を再構成する装置であって：
・フレームをデコードする手段と；
・前記フレームをダウンサンプリングされたLDR画像およびダウンサンプリングされた追加データに分割する手段であって、前記LDR画像は前記HDR画像コンテンツのダウンサンプリングされた、より低いダイナミックレンジの表現を提供し、前記追加データは前記LDR画像から前記HDR画像を再構成することを許容する、手段と；
・ダウンサンプリングされたLDR画像をアップサンプリングする手段と；
・アップサンプリングされた追加データを使ってアップサンプリングされたLDR画像からHDR画像を再構成する手段とを有する、
装置。
〔付記１５〕
ヒストグラム整列手段および逆トーン・マッピング手段のうちの少なくとも一方をさらに有する、付記１１記載の装置。